(57)【要約】【課題】パスワードを設定することなく、発着信履歴データを含む当該電話装置に記録された固有の記録情報の表示を制限して、情報の漏洩を回避することのできる電話装置を提供する。【解決手段】発着信履歴データを含む固有の記録情報を記憶する電話装置１において、前記記録情報を表示する表示部８と、前記電話装置による発着信履歴データを更新する更新部２と、前記記録情報を前記表示部８に表示させない非表示条件及び前記記録情報を記憶する記憶部６と、前記非表示条件に従い、前記記録情報を非表示とするか否かを判定し、その判定結果に従って前記表示部８の表示制御を行う制御部２と、を備え、前記更新部２は、前記判定結果に関わらず、前記発着信履歴データを更新する。【選択図】図１
2012178661.tif 000002
【特許請求の範囲】
【請求項１】
発着信履歴データを含む記録情報を記憶するとともに、前記発着信履歴データを含む記録情報を表示部に表示させない非表示条件を記憶する記憶部と、
前記記録情報を表示する表示部と、
前記発着信履歴データを更新する更新部と、
前記非表示条件に基づいて、前記記録情報を非表示とするか否かを判定し、その判定結果に従って前記表示部の表示制御を行う制御部と、を備え、
前記更新部は、前記判定結果に関わらず、前記発着信履歴データを更新することを特徴とする電話装置。
【請求項２】
現在の時刻データを取得する時刻データ取得手段を備え、
前記非表示条件は、表示を禁止する時間帯に係る条件であり、前記制御部は、前記時刻データと前記非表示条件とを比較し、前記記録情報を非表示とするか否かの判定を行うことを特徴とする請求項１に記載の電話装置。
【請求項３】
当該電話装置の周囲の照度を検出する照度センサを備え、
前記非表示条件は、表示を禁止する照度に係る条件であり、前記制御部は、前記照度センサにより検出した前記照度と前記非表示条件とを比較し、前記録情報を非表示とするか否かの判定を行うことを特徴とする請求項１に記載の電話装置。
【請求項４】
前記記録情報は、電話帳データを含むことを特徴とする請求項１〜３のいずれか１項に記載の電話装置。
【発明の詳細な説明】
【技術分野】
【０００１】
本発明は、電話装置に関するものであり、特に、発着信履歴データを含む当該電話装置に記録された固有の記録情報の表示を制限する機能を有する電話装置に関するものである。
【背景技術】
【０００２】
例えば、オフィスの個人の机に設置されている電話装置には、当該電話装置を利用した際の発着信履歴データが記録される。また、当該電話装置には、利用者の電話帳データや、留守録機能を有する電話装置においては、留守録データが記録されている。これらのデータは、本来の利用者が在席していない間に第三者によって閲覧又は再生されてしまうと、情報漏洩の点で問題となる場合がある。
【０００３】
そこで、情報漏洩を回避するため、電話装置にパスワードを設定し、当該電話装置の利用を特定の者のみに制限するようにしたものがある。例えば、下記の特許文献１（特開２０１０−１５４３５１号公報）では、外部端末からの着信要求に応じて通信回線が接続された場合、操作部からのパスワードの入力を要求し、利用者が入力したパスワードと、予め登録されている解除パスワードとが一致した場合、外部端末との通話を許可するようにした携帯端末装置が開示されている。
【先行技術文献】
【特許文献】
【０００４】
【特許文献１】特開２０１０−１５４３５１号公報（請求項１）
【発明の概要】
【発明が解決しようとする課題】
【０００５】
しかしながら、上記の特許文献１の場合、着信要求があるたびにパスワードを入力しなければならない、という煩わしさがある。また、パスワードが設定されていると、本来の利用者以外の者が当該電話装置を一時的に利用したい場合であって、利用が制限されてしまうため、例えば、オフィスの電話装置のように、完全に個人利用ではない電話装置にあっては、むしろ、不便なものとなってしまう。
【０００６】
本発明は、上記の問題点を解消することを課題とするものであり、パスワードを設定することなく、発着信履歴データを含む当該電話装置に記録された固有の記録情報の表示を制限して、情報の漏洩を回避することのできる電話装置を提供することを目的とするものである。
【課題を解決するための手段】
【０００７】
前記課題を解決するために、本願の請求項１にかかる電話装置の発明は、発着信履歴データを含む記録情報を記憶するとともに、前記発着信履歴データを含む記録情報を表示部に表示させない非表示条件を記憶する記憶部と、前記記録情報を表示する表示部と、前記発着信履歴データを更新する更新部と、前記非表示条件に基づいて、前記記録情報を非表示とするか否かを判定し、その判定結果に従って前記表示部の表示制御を行う制御部と、を備え、前記更新部は、前記判定結果に関わらず、前記発着信履歴データを更新することを特徴とする。
【０００８】
本願の請求項２にかかる発明は、請求項１に係る電話装置において、現在の時刻データを取得する時刻データ取得手段を備え、前記非表示条件は、表示を禁止する時間帯に係る条件であり、前記制御部は、前記時刻データと前記非表示条件とを比較し、前記記録情報を非表示とするか否かの判定を行うことを特徴とする。
【０００９】
本願の請求項３にかかる発明は、請求項１に係る電話装置において、当該電話装置の周囲の照度を検出する照度センサを備え、前記非表示条件は、表示を禁止する照度に係る条件であり、前記制御部は、前記照度センサにより検出した前記照度と前記非表示条件とを比較し、前記記録情報を非表示とするか否かの判定を行うことを特徴とする。
【００１０】
本願の請求項４にかかる発明は、請求項１〜３のいずれか１項に係る電話装置において、前記記録情報は、電話帳データを含むことを特徴とする。
【発明の効果】
【００１１】
請求項１に係る電話装置の発明においては、発着信履歴データを含む記録情報を記憶するとともに、前記発着信履歴データを含む記録情報を表示部に表示させない非表示条件を記憶する記憶部と、前記記録情報を表示する表示部と、前記発着信履歴データを更新する更新部と、前記非表示条件に基づいて、前記記録情報を非表示とするか否かを判定し、その判定結果に従って前記表示部の表示制御を行う制御部と、を備え、前記更新部は、前記判定結果に関わらず、前記発着信履歴データを更新する。
【００１２】
このように構成することにより、非表示条件に従って、発着信履歴データを含む固有の記録情報の表示、非表示を自動的に判定し、非表示条件に合致する場合に記録情報を非表示とすることにより、本来の利用者が不在のときに、第三者による記録情報の閲覧を禁止して、情報が漏洩してしまう事態を回避することができる。また、非表示の状態であっても、発着信履歴データについて常に更新させるようにすることで、利用者が不在の間の発着信の履歴を確認することができる。
【００１３】
請求項２に係る発明においては、請求項１に係る電話装置において、表示を禁止する時間帯に係る条件を非表示条件とし、現在の時刻が表示を禁止する時間帯である場合、表示を禁止させることにより、本来の利用者が不在である時間帯において、第三者が記録情報を閲覧して、情報が漏洩してしまう事態を回避することができる。
【００１４】
請求項３に係る発明においては、請求項１に係る電話装置において、電話装置の周囲の照度が表示を禁止する照度である場合、表示を禁止させることにより、照明が消灯されて本来の利用者が不在であるときに、第三者が記録情報を閲覧して、情報が漏洩してしまう事態を回避することができる。
【００１５】
請求項４に係る発明においては、請求項１〜３のいずれか１項に係る電話装置において、記録情報に電話帳データを含むものとすることにより、第三者に電話帳データを閲覧されてしまう事態を回避することができる。
【図面の簡単な説明】
【００１６】
【図１】本発明の実施例に係る電話装置の構成ブロック図である。
【図２】図１に示す電話装置の記憶部に記憶されているデータの説明図である。
【図３】図１に示す電話装置の処理フローチャートである。
【発明を実施するための形態】
【００１７】
以下、本発明の具体例を実施例及び図面を用いて詳細に説明する。但し、以下に示す実施形態は、本発明の技術的思想を具体化するための電話装置を例示するものであって、本発明をこの電話装置に特定することを意図するものではなく、特許請求の範囲に含まれるその他の実施形態の電話装置にも等しく適応し得るものである。
【実施例】
【００１８】
図１は、本発明の実施例に係る電話装置の構成ブロック図である。電話装置１は、例えば、オフィスに設置されている固定電話装置又はコードレス電話装置であり、特定の利用者が使用する電話装置であるものとする。
【００１９】
電話装置１は、制御部２、音声入出力部３、音声信号処理部４、通信制御部５、記憶部６、操作部７、表示部８、時計９等を備えて構成されている。
【００２０】
制御部２は、マイクロプロセッサを中心に構成され、一般的なコンピュータ装置と同様に、図示していないＲＯＭ、ＲＡＭを備えている。制御部２は、ＲＯＭに格納されている各種制御プログラムを読み出し、ＲＡＭ内のプログラム格納領域に展開して、この制御プログラムに従って電話装置１の各種制御処理を行う。また、制御部２は、電話装置１により発着信が行われたとき、その発着信履歴データを更新して記憶部６に記録する更新部として機能する。
【００２１】
音声入出力部３は、通話時においてマイクを介して送話音声を入力したり、スピーカを介して受話音声を出力したりする。音声信号処理部４は、通信制御部５からの受話音声信号を処理して音声入出力部３を介して出力し、あるいは、音声入出力部３を介して入力された送話音声を処理して音声信号に変換して通信制御部５へ送出する。
【００２２】
通信制御部５は、通話回線を介して外部電話装置１０と接続されており、通話回線からの着信、通話回線への発信を制御して通話データの送受信を行う。
【００２３】
記憶部６は、電話装置１の各種機能の設定条件が記憶される他、図２に示すように、利用者が操作部７から入力する電話帳、短縮ダイヤル等の電話帳データを記憶する。電話帳データには、名称、電話番号、メールアドレス、住所等の個人情報が記憶可能である。また、記憶部６は、電話装置１から外部電話装置１０に対して発信した発信履歴データ、及び、外部電話装置１０から着信した着信履歴データを記憶する。これらの発着信履歴データには、通話先である外部電話装置１０の電話番号、発着信の日時が記憶可能である。
【００２４】
さらに、記憶部６には、電話装置１の表示部８に対して電話帳データ及び発着信履歴データの表示を制限する時間帯である非表示時刻データ（非表示条件）が記憶される。非表示時刻データは、例えば、当該電話装置１の利用者の勤務時間が９：３０〜１７：３０であるとすると、利用者が電話装置１のある机に在席していない時間帯の開始時刻１７：３０及び終了時刻９：３０を記憶可能である。この非表示時刻データは、利用者が操作部７から入力することができる。
【００２５】
すなわち、１７：３０〜９：３０までの間は、以下に説明する本発明による発着信履歴データ等の表示を制限する処理を行い、勤務時間である９：３０〜１７：３０までの間は通常の電話装置の処理（発着信履歴データ等の表示を可能にする処理）を行う。以下の説明では前者の時間帯を「非表示時刻」といい、後者の時間帯を「表示時刻」ということとする。
【００２６】
操作部７は、数字や文字の入力などを行うテンキー、発呼および通話の開始などを操作する通話キー、通話の終了などを操作する終話キー、電話帳の登録・検索を操作する電話帳キー、非表示時刻データを設定する時刻設定キー、各種モードを設定するための操作を行うモード設定キー等からなり、テンキーや操作キーを操作し、電話番号やメールの入力といった各種データの入力や発呼操作といった種々の機能を選択したり設定したりする際にも用いられる。入力されたデータは制御部２に供給される。
【００２７】
表示部８は、液晶パネル等から構成される表示ユニットであり、制御部２の制御により、非表示時刻データにより設定されている時間帯を除き、電話帳データから読み出した相手先の電話番号や名称、通話時間、通話料金や受信したメール等を表示する他、過去に当該電話装置１を用いて発着信を行った発着信履歴データを表示する。
【００２８】
時計９は、電話装置１の現在の時刻データを生成し、制御部２に供給するものであり、時刻データ取得手段として機能する。
【００２９】
次に、図３に示す処理フローチャートに従い、電話装置１に記録されている個人情報の表示、非表示の処理について説明する。この場合、電話装置１の利用者は、操作部７を用いて、当該電話装置１の表示部８に対して、個人情報である電話帳データおよび発着信履歴データを表示させない時間帯を非表示時刻データとして設定し、記憶部６に記憶させておく。
【００３０】
そこで、先ず、制御部２は、時計９から現在の時刻データを取得し、記憶部６に記憶されている非表示時刻データと比較し、現在の時刻が表示時刻外であるか否かを判定する（ステップＳ１０１）。現在の時刻が表示時刻外でなければ（ステップＳ１０１：ＮＯ）、制御部２は、利用者からの要求に応じて、記憶部６に記憶されている個人情報である電話帳データ及び発着信履歴データを表示部８に表示し、また、発着信履歴データを更新して記憶部６に記憶させる通常の処理を行う。この時間帯では、本来の利用者が電話装置１のある机に在席している可能性があり、個人情報を第三者が閲覧できる状態であっても、何ら問題がないと考えられるからである。
【００３１】
一方、現在の時刻が表示時刻外であるとき（ステップＳ１０１：ＹＥＳ）、本来の利用者が在席していない可能性が高く、個人情報を第三者に閲覧されると、情報漏洩のおそれがあるため、制御部２は、個人情報の表示部８への表示を禁止する（ステップＳ１０２）。なお、現在の時刻が表示時刻外であっても、例えば、予め設定したパスワードを入力することにより、非表示状態を解除して本来の利用者が個人情報を確認できるようにしてもよい。
【００３２】
次に、表示時刻外において、外部電話装置１０からの着信、又は、電話装置１を用いた外部電話装置１０への発信があると（ステップＳ１０３：ＹＥＳ）、制御部２は、その発着信に係る発着信履歴データを更新し、記憶部６に記憶させる（ステップＳ１０４）。この場合、発着信履歴データを更新することにより、例えば、表示時刻外に第三者が電話装置１を使用した場合の発着信履歴データを確認することができる。
【００３３】
また、電話装置１による発着信が行われない場合において（ステップＳ１０３：ＮＯ）、表示時刻内でなければ（ステップＳ１０５：ＮＯ）、ステップＳ１０２での個人情報非表示の状態を維持し、ステップＳ１０３からの処理を繰り返す。なお、前述した場合と同様に、予め設定したパスワードを入力することにより、非表示状態を解除して本来の利用者が個人情報を確認できるようにしてもよい。
【００３４】
表示時刻内であると判定されると（ステップＳ１０５：ＹＥＳ）、制御部２は、利用者からの要求に応じて、記憶部６に記憶されている個人情報である電話帳データ及び発着信履歴データを表示部８に表示し、また、発着信履歴データを更新して記憶部６に記憶させる通常の処理を行う（ステップＳ１０６）。
【００３５】
なお、本発明は、上述した実施例に限定されるものではなく、本発明の要旨を逸脱しない範囲で変更することが可能である。
【００３６】
上述した実施例では、設定された非表示時刻データに従って、記録情報の表示、非表示を切り替えるようにしているが、例えば、休日を非表示条件とし、休日において記録情報を非表示とするように設定してもよい。
【００３７】
また、上述した実施例では、利用者が設定した非表示時刻データに従い、記録情報の表示、非表示を切り替えるものとしたが、例えば、電話装置１に照度センサを接続して照度を検出し、電話装置１が設置されている周囲の照度が所定レベル以下になったとき、記録情報を非表示とすることにより、消灯されて本来の利用者が不在となるような場合において、記録情報の漏洩を回避する、といった構成とすることもできる。なお、発着信履歴データは、表示、非表示に関わらず、更新することにより、本来の利用者以外のものが当該電話装置を使用した履歴を確認することができる。
【００３８】
さらに、非表示条件に従って記録情報を非表示とするのに加えて、留守録データの再生を禁止するようにしてもよい。
【００３９】
また、電話装置１としては、固定電話装置やコードレス電話装置に限定されるものではなく、携帯電話装置に対しても、各種情報を非表示とするように設定し、携帯電話装置からの情報の漏洩を防止するようにしてもよい。
【符号の説明】
【００４０】
１・・・電話装置
２・・・制御部
３・・・音声入出力部
４・・・音声信号処理部
５・・・通信制御部
６・・・記憶部
７・・・操作部
８・・・表示部
９・・・時計
１０・・・外部電話装置
【図１】
2012178661.tif 000003
【図２】
2012178661.tif 000004
【図３】
2012178661.tif 000005